(57)【要約】【課題】  布団を収容して内部のエアーを抜くことで圧縮することが出来る布団圧縮袋であって、取り扱いが便利で擦れ合って損傷しないようにした収容バック付き布団圧縮袋の提供。【解決手段】  布団圧縮袋１を収容バック１０に収容し、エアーを吸引する為に上記圧縮袋１に設けた吸気弁２の位置には網目又はメッシュ生地などで構成した吸気穴１２を設け、そして収容した圧縮袋１が位置ズレしたり外れないように、収容バック１０とはマジックテープにて互いに連結し、収容バック１０の開口１１を閉じる為のカバーシート１６を裏シート１４を延ばして形成し、そして、収容バック１０の所々には持ち手２０，２０、２１，２１を取付けている。【選択図】    図３
2009248998.tif 000002
【特許請求の範囲】
【請求項１】
布団を収容して内部のエアーを抜くことで圧縮することが出来る布団圧縮袋において、該布団圧縮袋を収容バックに収容し、エアーを吸引する為に上記圧縮袋に設けた吸気弁の位置には網目又はメッシュ生地などで構成した吸気穴を設け、そして収容した圧縮袋が位置ズレしたり外れないように、収容バックとはマジックテープなどの止着具にて互いに連結し、収容バックの開口を閉じる為のカバーシートを裏シートを延ばして形成し、そして、収容バックの所々には持ち手を取付けたことを特徴とする収容バック付き布団圧縮袋。
【請求項２】
上記裏シートを延ばして形成したカバーシートを折り返して開口を閉じる為に、表シートとカバーシートにマジックテープを設けた請求項１記載の収容バック付き布団圧縮袋。
【請求項３】
収容バックを２つ折りする為に、側部にはバンドを取付け、対向する他の側部には該バンドが止着するマジックテープを設けた請求項１、又は請求項２記載の収容バック付き布団圧縮袋。
【発明の詳細な説明】
【技術分野】
【０００１】
本発明は布団を収容して圧縮すると共に、しかも収容バックに入れた布団圧縮袋に関するものである。
【背景技術】
【０００２】
布団はその体積が大きく、都会のマンションなどでは押入れなどに収納する際に問題となる。そこで、近年では布団圧縮袋が多用され、ビニール袋に布団を収容して空気を吸引するならば、布団は圧縮されてその体積は小さくなり、押入れへの収納も可能と成る。特に、冬用の布団は多くの綿を入れた厚いもので、夏の間の収納には該圧縮袋は便利である。
【０００３】
圧縮袋はその一辺が密閉されると共に開口できる構造とし、中央部には吸込み口が設けられている。該吸込み口に掃除機のホースを当てて吸引するならば、袋内の空気は吸われ、吸引が終わったところで吸込み口が閉じるように機能する吸気弁が取付けられている。すなわち、吸気弁に内蔵している弁は袋内の負圧によって閉じ、外からのエアーが侵入しない構造としている。しかし、現実には僅か
なエアー漏れが発生し、長期間経過すると圧縮された布団が膨らんでしまう。
【０００４】
エヤー漏れ防止に関する吸気弁に関する技術は従来から色々知られている。例えば、特開２００４−３３８７８４号に係る「収納袋の排気弁」は、収納袋内と連通する排気孔を設けている弁本体に吸気用孔を設けている蓋体を装着し、この蓋体の上面をドーム形状に形成して該蓋体上に当てがう吸気ノズルを弁本体に対して垂直状態のみならず傾斜させた状態にしてもその吸気口を吸気用孔に連通させた状態にして脱気作用を行わせることが出来、さらに、蓋体の下面と上記排気孔を開閉する弁板の上面とに互いに係脱するカム突起とストッパ片とからなるロック機構を設けて収納袋内の脱気後に弁板を排気孔に圧着させた状態に保持する。
【０００５】
すなわち、収納袋内が脱気されて布団などの収納物が圧縮状態に成ると、蓋体に対する電気掃除機の吸気ノズルの押付けが解かれる。そうすると、収納袋内が真空状態であるから、この収納袋側に発生する吸気力によって弁板が下動して排気口を自動的に閉止し、収納袋内に外気が入ることを阻止する。そして、その後、蓋体を弁板回りに一方向に回動させると、蓋体の下面側に設けているロック機構が作動して弁板が直接下方に押圧され、排気孔を密閉した状態に保持することが出来る。
【０００６】
又、特開２００５−３５５６２号に係る「弁機構」は、吸引装置のノズルの径を意識することなく使用することが出来、外面で積層されたり密閉袋を損傷することがなく、又、積層されたり隣接させた荷姿が平坦で安定した状態とするものである。そこで、孔が形成された密閉袋の外面側に取付けられ、その中央部に通気口が形成された吸引接続部を平坦面とし、密閉袋の内面側に取付けられる弁基材を断面窪状としている。従って、吸引接続部の通気口を覆うようにノズルを当接させるだけでよいからノズル径を意識することなく使用でき、また、密閉袋の外面に突出する部分がなくなるので外面で積層させたり隣接する他の密閉袋を損傷することがない。
【０００７】
このように、吸気弁に関しての技術は色々と知られている。そして、布団圧縮袋に収容されて小さく圧縮された布団は押入れに収納されて積重ねられるが、表面は完全な平坦には成らないために安定しない。又、圧縮されて積重ねた布団を押入れから取出し難く、積み重ねることで互いに擦れ合って圧縮袋が損傷することも多い。
【特許文献１】特開２００４−３３８７８４号に係る「収納袋の排気弁」
【特許文献２】特開２００５−３５５６２号に係る「弁機構」
【発明の開示】
【発明が解決しようとする課題】
【０００８】
このように、布団圧縮袋に関する従来技術は色々知られている。ところが大家族ともなれば多くの布団があり、これら各布団ごとに圧縮袋に入れて圧縮する場合、これらは押入れに積み重ねて収納される。従って、圧縮袋に入れて小さく圧縮されただけでは、押入れに収納して出し入れすることを考えると不便なことも多く、圧縮袋が互いに擦れ合って損傷することもある。本発明が解決しようとする課題はこの問題点であり、布団圧縮袋を保護すると共に、布団を入れて圧縮した圧縮袋の押入れへの出入れが容易に出来、さらに持運びも簡単に出来るようにした収容バック付き布団圧縮袋を提供する。
【課題を解決するための手段】
【０００９】
布団圧縮袋は、布団を収容するビニール袋で構成されたもので、一辺は開口可能な形態と成っており、閉じた状態ではエアーが漏れないようにシールされる。そして、吸気弁は表シートに取付けられ、該吸気弁にホースの先端を当てがって掃除機で吸込むことが出来る。ただし、布団圧縮袋としてのこの基本構造は従来と同じである。
【００１０】
ところで、本発明では上記布団圧縮袋が収容バックに収納されて２重構造と成っている。ただし、収容バックは布団圧縮袋と組み合わされ、その為に布団圧縮袋は収容バックに収納されると共に、例えばマジックテープ（登録商標）を介して互いに連結している。従って、収容バックに収納されている布団圧縮袋に布団が収納されて圧縮することが出来る。そこで収容バックには吸気弁の位置が網目又はメッシュ地となっていて、収容バックからエアーを吸引することが出来る。そして、収容バックには持運びの便宜を考慮して持ち手を備えている。
【発明の効果】
【００１１】
本発明の収容バック付き圧縮袋は、布団圧縮袋が収容バックに収容され、互いに連結されている。従って、圧縮された布団は収容バックと共に押入れに入れて収納することが出来る。そして、収容バックには圧縮袋の吸気弁の位置に網目又はメッシュ地などで形成した吸気穴が設けられている為に、収容バックに入れたままでエアーを吸引して圧縮することが出来る。又、収容バックには持ち手が設けられていることで、押入れに入れて積み重ねている圧縮布団は収容バックの持ち手を介して引き出すことが出来る。すなわち、収容バックに収容することで整理・整頓が簡単であり、出し入れも便利と成る。さらに、布団圧縮袋は収容バックに入って表面が被覆された状態であることから、物に触れて穴が開くなどの損傷を防止することが可能となる。
【実施例】
【００１２】
図１は布団圧縮袋の外観を示す実施例である。同図の１はビニールから成る圧縮袋、２は吸気弁を表している。圧縮袋１は長方形の上シート３と下シート４から成り、その３辺５ａ，５ｂ，５ｃは上下シート３，４が密着され、他の辺６は布団を出し入れする為に開口可能と成っている。そして、上記吸気弁２は上シート３のほぼ中央部に取付けられ、該吸気弁２を通して圧縮袋内のエアーを吸込むことが出来る。
【００１３】
辺６は開閉可能なようにシール構造を有しており、図１のＡ−Ａ断面拡大図を図２に示している。上シート３には辺６に沿って２本の凹シール７ａ，７ｂが一定間隔をおいて沿設され、又下シート４には辺６に沿って２本の凸シール８ａ，８ｂが一定間隔をおいて沿設されている。凸シール８ａ，８ｂは凹シール７ａ，７ｂの凹溝９ａ，９ｂに嵌合して互いに噛合い、辺６側に設けた開口を閉鎖することが出来、エアーの漏れを防止する。
【００１４】
上記布団圧縮袋としての基本形態は従来のものと共通しているが、本発明では該布団圧縮袋１が収容バック１０に収容された２重袋構造と成っている。図３は布団圧縮袋１が入る収容バック１０の外観を表しているが、一辺は開口可能な構造と成っていて、該開口１１から圧縮袋１を収容することが出来る。ここで、収容バック１０は布団圧縮袋１をカバーする為の袋であり、生地は薄いが丈夫な素材で出来ている。
【００１５】
同図の１２は吸気穴を示し、この吸気穴１２は圧縮袋１を収容した状態で吸気弁２の位置に成っている。該吸気穴１２はメッシュ又は網目生地からなり、吸気穴１２を介して圧縮袋１に設けた吸気弁２からエアーを吸い込むことが出来る。該収容バック１０は表シート１３、裏シート１４、側シート１５，１５から成り、これら各シート１３，１４，１５，１５は縫製されている。
【００１６】
ところで、収容バック１０は裏シート１４の高さ寸法が表シート１３より大きく、上方へ延びる部分はカバーシート１６と成っている。そして、表シート１４にはマジックテープ１７ａ，１７ａ・・を設け、上記カバーシート１６にもマジックテープ１７ｂ，１７ｂ・・を設けている。カバーシート１６を内側へ折り返して開口１１を塞ぎ、マジックテープ１７ｂ，１７ｂ・・・を表シート１３のマジックテープ１７ａ，１７ａ・・に止着することが出来る。
【００１７】
又、側縁からはバンド１８，１８が延びて先端にはマジックテープが設けられ、該バンド１８，１８と対向する側部にはマジックテープ１９，１９が設けられている。従って、２つ折りにしてバンド１８，１８をマジックテープ１９，１９に止着することが出来る。そして、この収容バック１０には裏シート１４に持ち手２０，２０が取付けられ、側部にも持ち手２１，２１を取付けている。裏シート１４に取付けた持ち手２０，２０を介して、開口を上にした状態で収容バック１０を持つことが出来、又別の持ち手２１，２１は２つ折りした場合に使用される。
【００１８】
ところで、この収容バック１０に前記図１に示した圧縮袋１が入れられ、外れないように互いに連結される。連結手段は特に限定しないが、例えば圧縮袋１の表面の適当な箇所に複数のマジックテープを固着し、収容バック１０の表シート１３及び裏シート１４の内面にもマジックテープを固着する。そして収容バック１０に入った圧縮袋１をマジックテープを介して外れないように止着することが出来る。
【００１９】
図４は圧縮袋１に入れて布団２２を圧縮し、この圧縮袋１が収容バック１０に入っている状態の断面図である。圧縮袋１は収容バック１０内に入っていて、布団２２は収容バック１０に入っている圧縮袋１に収容される。圧縮袋１は片６が開口し、この開口から布団２２を入れ、この状態で、収容バック１０の吸気穴１２にホース先端を当てがってエアーを吸引することが出来る。
【図面の簡単な説明】
【００２０】
【図１】布団圧縮袋の外観図。
【図２】図１のＡ−Ａ断面拡大図。
【図３】圧縮袋が収容される収容バック。
【図４】収容バックに収容した圧縮袋に布団を入れて圧縮された場合の断面図。
【符号の説明】
【００２１】
１  ビニール袋
２  吸気弁
３  上シート
４  下シート
５  辺
６  辺
７  凹シール
８  凸シール
９  凹溝
10  収容バック
11  開口
12  吸気穴
13  表シート
14  裏シート
15  側シート
16  カバーシート
17  マジックテープ
18  バンド
19  マジックテープ
20  持ち手
21  持ち手
22  布団
【図１】
2009248998.tif 000003
【図２】
2009248998.tif 000004
【図３】
2009248998.tif 000005
【図４】
2009248998.tif 000006